(57)【要約】【課題】疎通監視システムで、経済性を損なわずインバンドで疎通断の通知を行う方法を提供することを目的とする。【解決手段】他の外部装置との間の疎通断が発生した場合に、疎通断を検出した外部装置と管理システムが接続されたネットワーク装置に接続されている外部装置である代表外部装置との間が疎通しているとき管理システムを送信先として疎通断を検出した外部装置から疎通断通知情報を送信し、疎通断を検出した外部装置と代表外部装置との間が疎通断であるとき疎通断を検出した外部装置との間が疎通している隣接外部装置を送信先として疎通断を検出した外部装置から管理システムに疎通断通知情報を送信する。【選択図】図８
2010041603.tif 000002
【特許請求の範囲】
【請求項１】
ネットワークのエッジに位置する複数のネットワーク装置それぞれに外部装置を接続すると共に、所定のネットワーク装置にネットワークの管理システムを接続し、前記外部装置間で疎通確認情報を送受信してネットワークの疎通を監視する疎通監視システムの外部装置であって、
前記管理システムから受信した、前記複数のネットワーク装置それぞれのトポロジ情報と、前記管理システムが接続されたネットワーク装置に接続されている外部装置である代表外部装置を示す情報と、自装置に隣接する外部装置である隣接外部装置を示す情報を格納すると共に、自装置と他の外部装置との間の疎通状態と、前記隣接外部装置と前記管理システムとの間の疎通状態を格納するテーブル手段と、
前記テーブル手段を用いて他の外部装置に対する疎通確認要求情報を送信する疎通確認要求情報送信手段と、
他の外部装置から前記疎通確認要求情報に対する応答である疎通確認応答情報を受信して自装置と他の外部装置との間の疎通を確認する疎通管理手段と、
前記疎通管理手段で疎通が確認されない疎通断が発生した場合に、前記テーブル手段に格納されている情報から、自装置と前記代表外部装置との間が疎通しているとき前記管理システムを送信先として疎通断通知情報を送信し、自装置と前記代表外部装置との間が疎通断であるとき自装置との間が疎通している隣接外部装置を送信先として前記管理システムに疎通断通知情報を送信する疎通断通知手段を
有することを特徴とする外部装置。
【請求項２】
請求項１記載の外部装置において、
前記疎通確認要求情報送信手段は、前記疎通確認要求情報に自装置と前記代表外部装置との間の疎通状態を設定して送信する
ことを特徴とする外部装置。
【請求項３】
ネットワークのエッジに位置する複数のネットワーク装置それぞれに外部装置を接続すると共に、所定のネットワーク装置にネットワークの管理システムを接続し、前記外部装置間で疎通確認情報を送受信してネットワークの疎通を監視する疎通監視システムの管理システムであって、
前記複数のネットワーク装置それぞれのトポロジ情報と、前記管理システムが接続されたネットワーク装置に接続されている外部装置である代表外部装置を示す代表外部装置情報と、各外部装置に隣接する外部装置である隣接外部装置を示す隣接外部装置情報を管理する情報管理手段と、
前記情報管理手段から供給される前記トポロジ情報と前記代表外部装置情報と前記隣接外部装置情報を前記複数の外部装置それぞれに通知する情報通知手段を
有することを特徴とする管理システム。
【請求項４】
ネットワークのエッジに位置する複数のネットワーク装置それぞれに外部装置を接続すると共に、所定のネットワーク装置にネットワークの管理システムを接続し、前記外部装置間で疎通確認情報を送受信してネットワークの疎通を監視する疎通監視方法であって、
他の外部装置との間の疎通断が発生した場合に、前記疎通断を検出した外部装置と前記管理システムが接続されたネットワーク装置に接続されている外部装置である代表外部装置との間が疎通しているとき前記管理システムを送信先として前記疎通断を検出した外部装置から疎通断通知情報を送信し、前記疎通断を検出した外部装置と前記代表外部装置との間が疎通断であるとき前記疎通断を検出した外部装置との間が疎通している隣接外部装置を送信先として前記疎通断を検出した外部装置から前記管理システムに疎通断通知情報を送信する
ことを特徴とする疎通監視方法。
【請求項５】
請求項４記載の疎通監視方法において、
他の外部装置との間の疎通を確認するために前記他の外部装置に送信する疎通確認要求情報に自装置と前記代表外部装置との間の疎通状態を設定して送信する
ことを特徴とする疎通監視方法。
【請求項６】
請求項５記載の疎通監視方法において、
送信先が自装置である疎通断通知情報を受信した外部装置は、受信した疎通断通知情報の送信先を前記管理システムに変換して送信する
ことを特徴とする疎通監視方法。
【請求項７】
請求項６記載の疎通監視方法において、
他の外部装置との間の疎通断が発生した場合に、前記疎通断を検出した外部装置と前記代表外部装置との間が疎通断であるとき前記疎通断を検出した外部装置との間が疎通している隣接外部装置のうち優先度が最も高い隣接外部装置を送信先として前記管理システムに疎通断通知情報を送信する
ことを特徴とする疎通監視方法。
【請求項８】
ネットワークのエッジに位置する複数のネットワーク装置それぞれに外部装置を接続すると共に、所定のネットワーク装置にネットワークの管理システムを接続し、前記外部装置間で疎通確認情報を送受信してネットワークの疎通を監視する疎通監視システムであって、
他の外部装置との間の疎通断が発生した場合に、前記疎通断を検出した外部装置と前記管理システムが接続されたネットワーク装置に接続されている外部装置である代表外部装置との間が疎通しているとき前記管理システムを送信先として前記疎通断を検出した外部装置から疎通断通知情報を送信し、前記疎通断を検出した外部装置と前記代表外部装置との間が疎通断であるとき前記疎通断を検出した外部装置との間が疎通している隣接外部装置を送信先として前記疎通断を検出した外部装置から前記管理システムに疎通断通知情報を送信する
ことを特徴とする疎通監視システム。
【請求項９】
請求項８記載の疎通監視システムにおいて、
他の外部装置との間の疎通を確認するために前記他の外部装置に送信する疎通確認要求情報に自装置と前記代表外部装置との間の疎通状態を設定して送信する
ことを特徴とする疎通監視システム。
【発明の詳細な説明】
【技術分野】
【０００１】
本発明は、ネットワークの疎通監視を行う疎通監視方法、疎通監視システム、管理システム及び外部装置に関する。
【背景技術】
【０００２】
従来から、ネットワークのＥｎｄ−ｔｏ−Ｅｎｄの疎通確認を行うために、ネットワークのエッジに位置してネットワークの外部と接続するネットワーク装置であるエッジルータに外部装置であるプローブを接続し、このプローブを用いてネットワークの疎通監視を行うことが行われている。
【０００３】
図１に、従来の疎通監視システムの一例のシステム構成図を示す。同図中、ネットワーク１のエッジルータ２ａ〜２ｆそれぞれにはプローブ３ａ〜３ｆが接続され、また、エッジルータ２ａにはネットワーク１を管理するオペレーションシステム（ＯＰＳ：管理システム）４が接続されている。
【０００４】
プローブ３ａは、ネットワーク１を通して他の全てのプローブ３ｂ〜３ｆとの間で疎通確認を行い、疎通断を検出するとプローブ３ａよりオペレーションシステム４に対し疎通断の通知を行っている。他のプローブ３ｂ〜３ｆについても同様にして疎通確認を行い、疎通断を検出するとオペレーションシステム４に対し疎通断の通知を行う。
【０００５】
ところで、分散システムの各端末とヘルスチェックサーバの導通不良でヘルスチェックができないときは、他のサーバに変更する構成が従来から知られている（特許文献１参照）。
【特許文献１】特開２００１−２８２７６１号公報
【発明の開示】
【発明が解決しようとする課題】
【０００６】
従来の疎通監視システムでは、例えばプローブ３ｃからオペレーションシステム４への通知経路であるエッジルータ２ｃ，２ａ間に障害があり、プローブ３ｃ，３ａ間が疎通断だった場合には、プローブ３ｃからオペレーションシステム４に疎通断の通知ができなくなるという問題があった。
【０００７】
更に、オペレーションシステム４への通知はＵＤＰ（Ｕｓｅｒ  Ｄａｔａｇｒａｍ  Ｐｒｏｔｏｃｏｌ）パケットでの通知が主であるため、ネットワーク１内で廃棄され消失する場合がある。その対応策としてＴＣＰ（Ｔｒａｎｓｍｉｓｓｉｏｎ  Ｃｏｎｔｒｏｌ  Ｐｒｏｔｏｃｏｌ）パケットで通知すると、疎通断時にはリトライ処理が繰り返し発生し、ネットワーク１にかかる負荷が大きくなるといった問題があった。
【０００８】
上記問題に対応するため、オペレーションシステム４への通信経路としてネットワーク１とは別のネットワーク（アウトバンドネットワーク）を構築して対応する方法や、ネットワークのルーティング技術を駆使してインバンドのネットワーク１で対応する方法がある。
【０００９】
しかし、アウトバンドネットワークを構築するには大きな設備導入費がかかり、経済性が悪化するという問題がある。また、ルーティング技術を駆使してインバンドで対応する場合には、高度なルーティング技術が必要であり、高度なルーティング技術を具備するエッジルータは高価で経済性を損なうという問題があった。また、エッジルータに自装置の故障を認知できないサイレント故障があるような場合、このエッジルータでは故障を認知できないのでルーティングが動作せず、オペレーションシステム４に疎通断を通知できないという問題があった。
【００１０】
開示の疎通監視システムは、経済性を損なわずインバンドで疎通断の通知を行う方法を提供することを目的とする。
【課題を解決するための手段】
【００１１】
開示の一実施態様による外部装置は、ネットワークのエッジに位置する複数のネットワーク装置それぞれに外部装置を接続すると共に、所定のネットワーク装置にネットワークの管理システムを接続し、前記外部装置間で疎通確認情報を送受信してネットワークの疎通を監視する疎通監視システムの外部装置であって、
前記管理システムから受信した、前記複数のネットワーク装置それぞれのトポロジ情報と、前記管理システムが接続されたネットワーク装置に接続されている外部装置である代表外部装置を示す情報と、自装置に隣接する外部装置である隣接外部装置を示す情報を格納すると共に、自装置と他の外部装置との間の疎通状態と、前記隣接外部装置と前記管理システムとの間の疎通状態を格納するテーブル手段と、
前記テーブル手段を用いて他の外部装置に対する疎通確認要求情報を送信する疎通確認要求情報送信手段と、
他の外部装置から前記疎通確認要求情報に対する応答である疎通確認応答情報を受信して自装置と他の外部装置との間の疎通を確認する疎通管理手段と、
前記疎通管理手段で疎通が確認されない疎通断が発生した場合に、前記テーブル手段に格納されている情報から、自装置と前記代表外部装置との間が疎通しているとき前記管理システムを送信先として疎通断通知情報を送信し、自装置と前記代表外部装置との間が疎通断であるとき自装置との間が疎通している隣接外部装置を送信先として前記管理システムに疎通断通知情報を送信する疎通断通知手段を有する。
【００１２】
開示の一実施態様による管理システムは、ネットワークのエッジに位置する複数のネットワーク装置それぞれに外部装置を接続すると共に、所定のネットワーク装置にネットワークの管理システムを接続し、前記外部装置間で疎通確認情報を送受信してネットワークの疎通を監視する疎通監視システムの管理システムであって、
前記複数のネットワーク装置それぞれのトポロジ情報と、前記管理システムが接続されたネットワーク装置に接続されている外部装置である代表外部装置を示す代表外部装置情報と、各外部装置に隣接する外部装置である隣接外部装置を示す隣接外部装置情報を管理する情報管理手段と、
前記情報管理手段から供給される前記トポロジ情報と前記代表外部装置情報と前記隣接外部装置情報を前記複数の外部装置それぞれに通知する情報通知手段を有する。
【００１３】
開示の一実施態様による疎通監視方法は、ネットワークのエッジに位置する複数のネットワーク装置それぞれに外部装置を接続すると共に、所定のネットワーク装置にネットワークの管理システムを接続し、前記外部装置間で疎通確認情報を送受信してネットワークの疎通を監視する疎通監視方法であって、
他の外部装置との間の疎通断が発生した場合に、前記疎通断を検出した外部装置と前記管理システムが接続されたネットワーク装置に接続されている外部装置である代表外部装置との間が疎通しているとき前記管理システムを送信先として前記疎通断を検出した外部装置から疎通断通知情報を送信し、前記疎通断を検出した外部装置と前記代表外部装置との間が疎通断であるとき前記疎通断を検出した外部装置との間が疎通している隣接外部装置を送信先として前記疎通断を検出した外部装置から前記管理システムに疎通断通知情報を送信する。
【００１４】
開示の一実施態様による疎通監視システムは、ネットワークのエッジに位置する複数のネットワーク装置それぞれに外部装置を接続すると共に、所定のネットワーク装置にネットワークの管理システムを接続し、前記外部装置間で疎通確認情報を送受信してネットワークの疎通を監視する疎通監視システムであって、
他の外部装置との間の疎通断が発生した場合に、前記疎通断を検出した外部装置と前記管理システムが接続されたネットワーク装置に接続されている外部装置である代表外部装置との間が疎通しているとき前記管理システムを送信先として前記疎通断を検出した外部装置から疎通断通知情報を送信し、前記疎通断を検出した外部装置と前記代表外部装置との間が疎通断であるとき前記疎通断を検出した外部装置との間が疎通している隣接外部装置を送信先として前記疎通断を検出した外部装置から前記管理システムに疎通断通知情報を送信する。
【発明の効果】
【００１５】
開示の疎通監視システムによれば、経済性を損なわずインバンドで疎通断の通知を行うことができる。
【発明を実施するための最良の形態】
【００１６】
以下、図面に基づいて実施形態について説明する。
【００１７】
＜実施形態の概要＞
本実施形態では、プローブからオペレーションシステムへの通知経路が切断された場合でも、オペレーションシステムに疎通断の通知を可能とするために、各プローブ間でオペレーションシステムが接続されているエッジノードに接続された代表プローブとの疎通情報を疎通確認要求パケットの中に保有することで複数のプローブ間で共有させる。また、各プローブに代表プローブとの疎通状況を疎通確認テーブルにて保持し、疎通確認テーブルを用いて疎通断の通知を送信及び中継する。すなわち、
（１）オペレーションシステムに隣接したプローブを代表プローブとし、オペレーションシステム１４より各プローブに対し隣接プローブ情報を通知する。
（２）各プローブは代表プローブとの疎通確認を実施し、疎通状況を保持する。
（３）各プローブ間で定期的に実施する疎通確認要求パケットの中に、自プローブと代表プローブとの疎通状況も保有させ隣接プローブに通知する。
（４）オペレーションシステムへの疎通断の通知を行う際に、代表プローブとの疎通が切断状態にあった場合、隣接プローブ経由でオペレーションシステムに通知を行う。
【００１８】
＜疎通監視システムの構成＞
図２は、疎通監視システムの一実施形態のシステム構成図を示す。同図中、ネットワーク１１のエッジルータ１２ａ〜１２ｆそれぞれにはプローブ１３ａ〜１３ｆが接続され、また、エッジルータ１２ａにはネットワーク１１を管理するオペレーションシステム（ＯＰＳ）１４が接続されている。
【００１９】
プローブ１３ａは、ネットワーク１１を通して他の全てのプローブ１３ｂ〜１３ｆとの間で疎通確認を行い、疎通断を検出するとプローブ１３ａよりオペレーションシステム１４に対し疎通断の通知を行っている。他のプローブ１３ｂ〜１３ｆについても同様にして疎通確認を行い、疎通断を検出するとオペレーションシステム１４に対し疎通断の通知を行う。
【００２０】
オペレーションシステム１４は、ネットワーク１１を構成するネットワーク構成要素（ルータ等）の接続関係であるトポロジ情報と共に、プローブの接続関係であるトポロジ情報も保持し、代表プローブ情報及び各プローブの隣接プローブ情報を有している。
【００２１】
なお、オペレーションシステム１４が接続されているエッジルータ１２ａに接続されているプローブ１３ａを示す情報（ＩＰアドレスを含む）が代表プローブ情報であり、自プローブが接続されているエッジルータに隣接して接続されているエッジルータに接続されているプローブを示す情報（ＩＰアドレスを含む）が隣接プローブ情報である。また、オペレーションシステムのＩＰアドレスがＯＰＳ情報ある。
【００２２】
＜オペレーションシステムの構成＞
図３は、オペレーションシステム１４の一実施形態の機能構成図を示す。同図中、トポロジ管理機能２１は、各プローブのトポロジ管理を行う。すなわち、トポロジ管理機能２１は各プローブ１３ａ〜１３ｆそれぞれについてのトポロジ情報及び代表プローブ情報及び隣接プローブ情報を内蔵のメモリ２１ａに予め格納しており、トポロジ管理機能２１はプローブ情報通知時にプローブ１３ａ〜１３ｆそれぞれに対してＯＰＳ情報を含むプローブ情報（トポロジ情報及び代表プローブ情報及び隣接プローブ情報）を通知する。
【００２３】
なお、オペレーションシステム１４が接続されているエッジルータ１２ａに接続されているプローブ１３ａを示す情報（ＩＰアドレスを含む）が代表プローブ情報であり、自プローブが接続されているエッジルータに隣接する一又は複数のエッジルータに接続されているプローブを示す情報（ＩＰアドレスを含む）が隣接プローブ情報である。また、オペレーションシステムのＩＰアドレスがＯＰＳ情報である。
【００２４】
疎通障害管理機能２２は、プローブ１３ａ〜１３ｆから通知される疎通障害情報を管理し、障害管理機能２５に通知する。
【００２５】
送信機能２３は、プローブ１３ａ〜１３ｆそれぞれにＯＰＳ情報を含むプローブ情報（トポロジ情報及び代表プローブ情報及び隣接プローブ情報）のパケットを送信する。
【００２６】
受信機能２４は、プローブ１３ａ〜１３ｆからの疎通障害情報のパケットを受信し、疎通障害管理機能２２に通知する。
【００２７】
障害管理機能２５は、ネットワーク１１の障害を管理し、管理している障害をディスプレイやプリンタ等を用いてオペレータに提示する。
【００２８】
＜プローブの構成＞
図４は、プローブ１３ａ〜１３ｆと同一構成のプローブ１３の一実施形態の機能構成図を示す。
【００２９】
同図中、疎通管理機能３１は、プローブ管理機能３２が管理するネットワーク１１内の各プローブに対して疎通確認要求パケットを作成し、送信機能３４を使用して各プローブに送信する。また、疎通管理機能３１は受信機能３５にて受信した疎通確認応答パケットを確認し、疎通結果情報としてデータベース（ＤＢ）３６に格納する。疎通管理機能３１は疎通確認要求パケットに対する疎通確認応答パケットが所定時間得られない場合に疎通断を検出し、疎通断時にはオペレーションシステム１４に対し送信機能３４を使用して疎通断通知の疎通確認通知パケットを送信する。
【００３０】
プローブ管理機能３２は、オペレーションシステム１４より通知されたＯＰＳ情報を含むプローブ情報をデータベース３６の疎通確認テーブル３６ａに格納する。
【００３１】
中継機能３３は、疎通確認通知パケットを受信したとき、オペレーションシステム１４に通知する疎通確認通知パケットを作成し、送信機能３４を使用してオペレーションシステム１４に通知する。
【００３２】
送信機能３４は、疎通確認要求パケット、疎通確認通知パケットを送信する。
【００３３】
受信機能３５は、疎通確認要求パケットやＯＰＳ情報を含むプローブ情報のパケットを受信する。また、受信したパケットのタイプ（Ｔｙｐｅ）を確信し、疎通確認応答（Ｔｙｐｅ＝Ｒｅｐｌａｙ）の場合は、疎通管理機能３１に通知し、疎通確認通知（Ｔｙｐｅ＝Ｎｏｔｉｃｅ）の場合は、中継機能３３に通知する。また、プローブ情報の場合は、プローブ管理機能３２に通知する。
【００３４】
＜プローブ情報通知＞
図５は、ＯＰＳ情報を含むプローブ情報の一実施形態を示す。このプローブ情報は、疎通監視システムの立ち上げ時などにおいて、図２に矢印で示すように、オペレーションシステム１４から全てのプローブ１３ａ〜１３ｆに送信され、各プローブ１３ａ〜１３ｆのデータベース３６の疎通確認テーブル３６ａに設定される
図５において、ＯＰＳ情報はオペレーションシステム１４のＩＰアドレスである。疎通確認先プローブ情報は、ネットワークに接続された全てのプローブ１３ａ〜１３ｆのうち、自プローブ（例えば１３ａ）以外のプローブ（例えば１３ｂ〜１３ｆ）について、各プローブのＩＰアドレスと属性が設定される。属性は、「Ｒ」が代表プローブを表し、「Ｎ」が隣接プローブを表しており、「Ｎ」に続く数字は優先度であり、値が小さいものほど高い優先度を表している。
【００３５】
＜疎通確認＞
各プローブ１３ａ〜１３ｆは、オペレーションシステム１４からＯＰＳ情報を含むプローブ情報が疎通確認テーブル３６ａに設定されたのち、所定周期で疎通確認要求パケットを上記疎通確認テーブル３６ａの疎通確認先プローブ情報で示される全てのプローブに宛てて送信し、これに対する疎通確認応答パケットを受信する。
【００３６】
図６（Ａ），（Ｂ）は、疎通確認要求パケット，疎通確認応答パケットの一実施形態を示す。
【００３７】
図６（Ａ）に示す疎通確認要求パケットは、送信元アドレス（ＳＡ）、送信先アドレス（ＤＡ）、タイプ（Ｔｙｐｅ＝Ｒｅｑｕｅｓｔ）、コード、チェックサム、自プローブと代表プローブとの疎通状態が設定されて送信される。
【００３８】
図６（Ｂ）に示す疎通確認応答パケットは、送信元アドレス（ＳＡ）、送信先アドレス（ＤＡ）、タイプ（Ｔｙｐｅ＝Ｒｅｐｌａｙ）、コード、チェックサム、メッセージ（疎通状態）が設定されて送信される。
【００３９】
各プローブは、隣接プローブから受信した疎通確認要求パケットに設定されている自プローブと代表プローブとの疎通状態を図７に示す疎通確認テーブル３６ａの対代表プローブ状態欄に格納する。また、疎通確認応答パケットを受信した相手（送信元）のプローブについては図７に示す疎通確認テーブル３６ａの疎通欄に「ＯＫ」を格納する。
【００４０】
図７は、疎通確認要求パケットを送受信した後のプローブ１３ｃの疎通確認テーブル３６ａの様子を示す。オペレーションシステム１４（ＯＰＳ情報）及び自プローブ以外のプローブ１３ａ，１３ｂ，１３ｄ〜１３ｆ（疎通確認先プローブ情報）それぞれについて、ＩＰアドレス欄と、疎通欄と、属性欄と、対代表プローブ状態欄が設けられている。
【００４１】
図７においては、自プローブ以外の全てのプローブ１３ａ，１３ｂ，１３ｄ〜１３ｆから疎通確認応答パケットを受信しているために疎通欄は全て「ＯＫ」となっており、隣接プローブ１３ｄ、１３ｅ，１３ｆは代表プローブと疎通しているために対応する対代表プローブ状態欄は「ＯＫ」となっている。
【００４２】
ここで、図８に示すように、エッジルータ１２ａ，１２ｃ間で疎通断が発生すると、これを検出したプローブ１３ｃの疎通確認テーブル３６ａは、図９に示す状態となる。図９においては、プローブ１３ａ（代表プローブ）の疎通欄が「ＮＧ」で疎通断であることを表している。
【００４３】
このように代表プローブとの疎通断を検出したプローブ１３ｃは、疎通確認テーブル３６ａにおいて対代表プローブ状態欄が「ＯＫ」となっている隣接プローブのうち優先度が最も高い隣接プローブ１３ｄに対し、図１０に示す疎通確認通知パケットを送信する。
【００４４】
図１０に示す疎通確認通知パケットは、送信元アドレス（ＳＡ）、送信先アドレス（ＤＡ）、タイプ（Ｔｙｐｅ＝Ｎｏｔｉｃｅ）、コード、チェックサム、疎通元プローブアドレス、疎通先プローブアドレスが設定される。ここで、送信元アドレス（ＳＡ）は疎通断を検出したプローブ１３ｃのアドレスであり、送信先アドレス（ＤＡ）は隣接プローブ１３ｄのアドレスである。また、疎通元プローブアドレスはプローブ１３ｃのアドレスであり、疎通先プローブアドレスはプローブ１３ａのアドレスである。
【００４５】
上記の図１０に示す疎通確認通知パケットを受信したプローブ（隣接プローブ）１３ｄは、中継機能３３により図１０に示す疎通確認通知パケットを図１１に示す疎通確認通知パケットに変換してオペレーションシステム１４に送信する。
【００４６】
図１１において、送信元アドレス（ＳＡ）は自プローブ（隣接プローブ）１３ｄのアドレスであり、送信先アドレス（ＤＡ）はオペレーションシステム１４のアドレスである。タイプ（Ｔｙｐｅ＝Ｎｏｔｉｃｅ）、コード、チェックサム、疎通元プローブアドレス、疎通先プローブアドレスについては図１０の内容がそのまま設定される。
【００４７】
＜プローブ情報通知のシーケンス＞
図１２は、プローブ情報通知の一実施形態のシーケンスを示す。同図中、ステップＳ１でトポロジ管理機能２１はプローブに対する代表プローブ情報及び隣接プローブ情報及びＯＰＳ情報を読み出して送信機能２３に供給する。ステップＳ２で送信機能２３は上記ＯＰＳ情報を含むプローブ情報のパケットを生成し、当該プローブ（例えば１３ｆ）に対し送信する。
【００４８】
ステップＳ３で宛先のプローブ１３ｆの受信機能３５は上記ＯＰＳ情報を含むプローブ情報のパケットを受信してプローブ管理機能３２に通知する。ステップＳ４でプローブ管理機能３２はこのＯＰＳ情報を含むプローブ情報をデータベース３６の疎通確認テーブル３６ａに格納する。
【００４９】
＜疎通確認のシーケンス＞
図１３は、疎通確認（ＯＫ）の一実施形態のシーケンスを示す。
【００５０】
同図中、ステップＳ１１で例えばプローブ１３ｃの疎通管理機能３１はプローブ管理機能３２が管理する例えばプローブ１３ｂに対して疎通確認要求パケットを作成し送信機能３４に通知する。ステップＳ１２で送信機能３４は疎通確認要求パケットを当該プローブに送信する。
【００５１】
ステップＳ１３で宛先のプローブ１３ｂの受信機能３５は上記疎通確認要求パケットを受信して疎通管理機能３１に通知する。ステップＳ１４で疎通管理機能３１は隣接プローブから受信した疎通確認要求パケットに設定されている自プローブと代表プローブとの疎通状態を疎通確認テーブル３６ａの対代表プローブ状態欄に格納する。
【００５２】
また、ステップＳ１５で疎通管理機能３１は上記疎通確認要求パケットに対して返送する疎通確認応答パケットを作成し送信機能３４に通知する。ステップＳ１６で送信機能３４は疎通確認応答パケットを返送先のプローブ１３ｃに送信する。
【００５３】
ステップＳ１７で返送先のプローブ１３ｃの受信機能３５は上記疎通確認要求パケットを受信して疎通管理機能３１に通知する。ステップＳ１８で疎通管理機能３１は受信した疎通確認応答パケットの送信元のプローブに対応する疎通確認テーブル３６ａの疎通欄に「ＯＫ」を格納する。
【００５４】
図１４及び図１５は、疎通確認（ＮＧ）の一実施形態のシーケンスを示す。
【００５５】
図１４において、ステップＳ２１で例えばプローブ１３ｃの疎通管理機能３１はプローブ管理機能３２が管理する例えばプローブ１３ｂに対して疎通確認要求パケットを作成し送信機能３４に通知する。ステップＳ２２で送信機能３４は疎通確認要求パケットを当該プローブに送信する。
【００５６】
ネットワーク１１のエッジルータ１２ｃ，１２ｂ間の疎通が切断している状態では、プローブ１３ｃからプローブ１３ｂに疎通確認要求パケットを送信して所定時間経過しても、プローブ１３ｂからプローブ１３ｃに疎通確認応答パケットが返送されない。
【００５７】
この場合、ステップＳ２４でプローブ１３ｃの疎通管理機能３１は、疎通確認要求パケットを送信したプローブ１３ｂに対応する疎通確認テーブル３６ａの疎通欄に「ＮＧ」を格納する。
【００５８】
更に、ステップＳ２５で疎通管理機能３１は疎通確認テーブル３６ａにおける属性「Ｒ」の代表プローブ１３ａの状態欄を参照して、代表プローブ１３ａとの疎通状態を確認する。こののち、ステップＳ２６で代表プローブ１３ａとの疎通状態が「ＯＫ」であるか否かを判別する。これが「ＯＫ」の場合には、ステップＳ２７で疎通管理機能３１は図１０に示す疎通確認通知パケットを生成して送信機能３４に通知し、ステップＳ２８で送信機能３４は疎通確認通知パケットをオペレーションシステム１４に送信する。
【００５９】
ステップＳ２９でオペレーションシステム１４の受信機能２４は疎通確認通知パケットを受信して疎通障害管理機能２２に通知する。
【００６０】
一方、ステップＳ２６で代表プローブ１３ａとの疎通状態が「ＮＧ」の場合には、図１５のステップＳ３０に進み、疎通管理機能３１は疎通確認テーブル３６ａの対代表プローブ状態欄を参照して隣接プローブの対代表プローブ状態を確認する。
【００６１】
次に、ステップＳ３１で疎通管理機能３１は対代表プローブ状態が「ＯＫ」の隣接プローブのうち優先度が最も高い隣接プローブ１３ｄに対する図１０に示す疎通確認通知パケットを生成し送信機能３４に通知する。ステップＳ２２で送信機能３４は疎通確認要求パケットを隣接プローブ１３ｄに送信する。
【００６２】
ステップＳ３３で隣接プローブ１３ｄの受信機能３５は上記疎通確認要求パケットを受信して中継機能３３に通知する。ステップＳ３４で中継機能３３は図１０に示す疎通確認通知パケットを図１１に示す疎通確認通知パケットに変換してオペレーションシステム１４に送信する。
【００６３】
ステップＳ３５でオペレーションシステム１４の受信機能２４は疎通確認通知パケットを受信して疎通障害管理機能２２に通知する。
【００６４】
上記実施形態によれば、ネットワーク内のルーティング技術を高度化することなく、各プローブ間の疎通状況をオペレーションシステムに確実に通知することが可能となり、疎通監視システムの導入が容易となり、ネットワーク内のルーティング技術を高度化することが不要なインバンド方式であるため、ネットワークへの投資も不要となる。
【００６５】
また、エッジルータ自身が検知しないサイレント故障による疎通不可を疎通確認要求パケットと疎通確認応答パケットの送受信により把握でき、サイレント故障時にも接続が確認された経路を選択可能となり、プローブからオペレーションシステムに対しＴＣＰパケットにより疎通断の通知を行っても再送が発生することはなく、ネットワークに負荷をかけることがない。
（付記１）
ネットワークのエッジに位置する複数のネットワーク装置それぞれに外部装置を接続すると共に、所定のネットワーク装置にネットワークの管理システムを接続し、前記外部装置間で疎通確認情報を送受信してネットワークの疎通を監視する疎通監視システムの外部装置であって、
前記管理システムから受信した、前記複数のネットワーク装置それぞれのトポロジ情報と、前記管理システムが接続されたネットワーク装置に接続されている外部装置である代表外部装置を示す情報と、自装置に隣接する外部装置である隣接外部装置を示す情報を格納すると共に、自装置と他の外部装置との間の疎通状態と、前記隣接外部装置と前記管理システムとの間の疎通状態を格納するテーブル手段と、
前記テーブル手段を用いて他の外部装置に対する疎通確認要求情報を送信する疎通確認要求情報送信手段と、
他の外部装置から前記疎通確認要求情報に対する応答である疎通確認応答情報を受信して自装置と他の外部装置との間の疎通を確認する疎通管理手段と、
前記疎通管理手段で疎通が確認されない疎通断が発生した場合に、前記テーブル手段に格納されている情報から、自装置と前記代表外部装置との間が疎通しているとき前記管理システムを送信先として疎通断通知情報を送信し、自装置と前記代表外部装置との間が疎通断であるとき自装置との間が疎通している隣接外部装置を送信先として前記管理システムに疎通断通知情報を送信する疎通断通知手段を
有することを特徴とする外部装置。
（付記２）
付記１記載の外部装置において、
前記疎通確認要求情報送信手段は、前記疎通確認要求情報に自装置と前記代表外部装置との間の疎通状態を設定して送信する
ことを特徴とする外部装置。
（付記３）
付記２記載の外部装置において、
送信先が自装置である疎通断通知情報を受信したとき、受信した疎通断通知情報の送信先を前記管理システムに変換して送信する中継手段を
有することを特徴とする外部装置。
（付記４）
付記３記載の外部装置において、
前記隣接外部装置情報は優先度を含んでおり、
前記疎通断通知手段は、自装置との間が疎通している隣接外部装置のうち優先度が最も高い隣接外部装置を送信先とすることを特徴とする外部装置。
（付記５）
ネットワークのエッジに位置する複数のネットワーク装置それぞれに外部装置を接続すると共に、所定のネットワーク装置にネットワークの管理システムを接続し、前記外部装置間で疎通確認情報を送受信してネットワークの疎通を監視する疎通監視システムの管理システムであって、
前記複数のネットワーク装置それぞれのトポロジ情報と、前記管理システムが接続されたネットワーク装置に接続されている外部装置である代表外部装置を示す代表外部装置情報と、各外部装置に隣接する外部装置である隣接外部装置を示す隣接外部装置情報を管理する情報管理手段と、
前記情報管理手段から供給される前記トポロジ情報と前記代表外部装置情報と前記隣接外部装置情報を前記複数の外部装置それぞれに通知する情報通知手段を
有することを特徴とする管理システム。
（付記６）
付記５記載の管理システムにおいて、
前記隣接外部装置情報は、優先度を含むことを特徴とする管理システム。
（付記７）
ネットワークのエッジに位置する複数のネットワーク装置それぞれに外部装置を接続すると共に、所定のネットワーク装置にネットワークの管理システムを接続し、前記外部装置間で疎通確認情報を送受信してネットワークの疎通を監視する疎通監視方法であって、
他の外部装置との間の疎通断が発生した場合に、前記疎通断を検出した外部装置と前記管理システムが接続されたネットワーク装置に接続されている外部装置である代表外部装置との間が疎通しているとき前記管理システムを送信先として前記疎通断を検出した外部装置から疎通断通知情報を送信し、前記疎通断を検出した外部装置と前記代表外部装置との間が疎通断であるとき前記疎通断を検出した外部装置との間が疎通している隣接外部装置を送信先として前記疎通断を検出した外部装置から前記管理システムに疎通断通知情報を送信する
ことを特徴とする疎通監視方法。
（付記８）
付記７記載の疎通監視方法において、
他の外部装置との間の疎通を確認するために前記他の外部装置に送信する疎通確認要求情報に自装置と前記代表外部装置との間の疎通状態を設定して送信する
ことを特徴とする疎通監視方法。
（付記９）
付記８記載の疎通監視方法において、
送信先が自装置である疎通断通知情報を受信した外部装置は、受信した疎通断通知情報の送信先を前記管理システムに変換して送信する
ことを特徴とする疎通監視方法。
（付記１０）
付記９記載の疎通監視方法において、
他の外部装置との間の疎通断が発生した場合に、前記疎通断を検出した外部装置と前記代表外部装置との間が疎通断であるとき前記疎通断を検出した外部装置との間が疎通している隣接外部装置のうち優先度が最も高い隣接外部装置を送信先として前記管理システムに疎通断通知情報を送信する
ことを特徴とする疎通監視方法。
（付記１１）
ネットワークのエッジに位置する複数のネットワーク装置それぞれに外部装置を接続すると共に、所定のネットワーク装置にネットワークの管理システムを接続し、前記外部装置間で疎通確認情報を送受信してネットワークの疎通を監視する疎通監視システムであって、
他の外部装置との間の疎通断が発生した場合に、前記疎通断を検出した外部装置と前記管理システムが接続されたネットワーク装置に接続されている外部装置である代表外部装置との間が疎通しているとき前記管理システムを送信先として前記疎通断を検出した外部装置から疎通断通知情報を送信し、前記疎通断を検出した外部装置と前記代表外部装置との間が疎通断であるとき前記疎通断を検出した外部装置との間が疎通している隣接外部装置を送信先として前記疎通断を検出した外部装置から前記管理システムに疎通断通知情報を送信する
ことを特徴とする疎通監視システム。
（付記１２）
付記１１記載の疎通監視システムにおいて、
他の外部装置との間の疎通を確認するために前記他の外部装置に送信する疎通確認要求情報に自装置と前記代表外部装置との間の疎通状態を設定して送信する
ことを特徴とする疎通監視システム。
（付記１３）
付記１２記載の疎通監視システムにおいて、
送信先が自装置である疎通断通知情報を受信した外部装置は、受信した疎通断通知情報の送信先を前記管理システムに変換して送信する
ことを特徴とする疎通監視システム。
（付記１４）
付記１３記載の疎通監視システムにおいて、
他の外部装置との間の疎通断が発生した場合に、前記疎通断を検出した外部装置と前記代表外部装置との間が疎通断であるとき前記疎通断を検出した外部装置との間が疎通している隣接外部装置のうち優先度が最も高い隣接外部装置を送信先として前記管理システムに疎通断通知情報を送信する
ことを特徴とする疎通監視システム。
【図面の簡単な説明】
【００６６】
【図１】従来の疎通監視システムの一例のシステム構成図である。
【図２】疎通監視システムの一実施形態のシステム構成図である。
【図３】オペレーションシステムの一実施形態の機能構成図である。
【図４】プローブの一実施形態の機能構成図である。
【図５】ＯＰＳ情報を含むプローブ情報の一実施形態を示す図である。
【図６】疎通確認要求パケット，疎通確認応答パケットの一実施形態を示す図である。
【図７】疎通確認テーブルの様子を示す図である。
【図８】疎通断を説明するための図である。
【図９】疎通確認テーブルの様子を示す図である。
【図１０】疎通確認通知パケットの一実施形態を示す図である。
【図１１】疎通確認通知パケットの一実施形態を示す図である。
【図１２】プローブ情報通知の一実施形態のシーケンスを示す図である。
【図１３】疎通確認（ＯＫ）の一実施形態のシーケンスを示す図である。
【図１４】疎通確認（ＮＧ）の一実施形態のシーケンスを示す図である。
【図１５】疎通確認（ＮＧ）の一実施形態のシーケンスを示す図である。
【符号の説明】
【００６７】
１１  ネットワーク
１２ａ〜１２ｆ  エッジルータ
１３ａ〜１３ｆ  プローブ
１４  オペレーションシステム
２１  トポロジ管理機能
２１ａ  メモリ
２２  疎通障害管理機能
２３  送信機能
２４  受信機能
２５  障害管理機能
３１  疎通管理機能
３２  プローブ管理機能
３３  中継機能
３４  送信機能
３５  受信機能
３６  データベース
３６ａ疎通確認テーブル
【図１】
2010041603.tif 000003
【図２】
2010041603.tif 000004
【図３】
2010041603.tif 000005
【図４】
2010041603.tif 000006
【図５】
2010041603.tif 000007
【図６】
2010041603.tif 000008
【図７】
2010041603.tif 000009
【図８】
2010041603.tif 000010
【図９】
2010041603.tif 000011
【図１０】
2010041603.tif 000012
【図１１】
2010041603.tif 000013
【図１２】
2010041603.tif 000014
【図１３】
2010041603.tif 000015
【図１４】
2010041603.tif 000016
【図１５】
2010041603.tif 000017